(57)【要約】【課題】組立てが容易で、予備組立工程に統合させることができ、多種類の信号を受信し、受信する信号の品質が高い、ヘッドライト搭載の線形型アンテナを提供する。【解決手段】ヘッドライト搭載の線形型アンテナ２、横向き偏波アンテナ部２１、縦向き偏波アンテナ部２２及び給電部２３を備える。横向き偏波アンテナ部２１は、ヘッドライト３の横向き外縁に沿って設置される。縦向き偏波アンテナ部２２は、ヘッドライト３の縦向き外縁に沿って設置される。給電部２３は、横向き偏波アンテナ部２１と縦向き偏波アンテナ部２２との間に電気的に接続されるとともに、ヘッドライト３の外隅に位置する。【選択図】図２
0003198460.tif 000002
【実用新案登録請求の範囲】
【請求項１】
横向き偏波アンテナ部、縦向き偏波アンテナ部及び給電部を備えたヘッドライト搭載の線形型アンテナであって、
前記横向き偏波アンテナ部は、ヘッドライトの横向き外縁に沿って設置され、
前記縦向き偏波アンテナ部は、前記ヘッドライトの縦向き外縁に沿って設置され、
前記給電部は、前記横向き偏波アンテナ部と前記縦向き偏波アンテナ部との間に電気的に接続されるとともに、前記ヘッドライトの外隅に位置することを特徴とするヘッドライト搭載の線形型アンテナ。
【請求項２】
前記横向き偏波アンテナ部は、前記ヘッドライトの横向き外縁に沿って、前記ヘッドライトに接着、電解メッキ又はインサートモールドされ、
前記縦向き偏波アンテナ部は、前記ヘッドライトの縦向き外縁に沿って、前記ヘッドライトに接着、電解メッキ又はインサートモールドされ、
前記給電部は、前記ヘッドライトの外隅に位置することを特徴とする請求項１に記載のヘッドライト搭載の線形型アンテナ。
【請求項３】
前記横向き偏波アンテナ部は、前記ヘッドライトのランプカバーの外側、前記ランプカバーの内側又はランプホルダーの内側に接着、電解メッキ又はインサートモールドされ、
前記縦向き偏波アンテナ部は、前記ヘッドライトの前記ランプカバーの外側、前記ランプカバーの内側又は前記ランプホルダーの内側に接着、電解メッキ又はインサートモールドされ、
前記給電部は、前記ヘッドライトの前記ランプカバーの外側、前記ランプカバーの内側又は前記ランプホルダーの内側に位置することを特徴とする請求項２に記載のヘッドライト搭載の線形型アンテナ。
【請求項４】
横向き透明フィルムテープ及び縦向き透明フィルムテープを含む透明フィルムテープをさらに備え、
前記横向き偏波アンテナ部は、前記横向き透明フィルムテープにより前記ヘッドライトの横向き外縁に沿って前記ヘッドライトに貼り付けられ、
前記縦向き偏波アンテナ部は、前記縦向き透明フィルムテープにより前記ヘッドライトの縦向き外縁に沿って前記ヘッドライトに貼り付けられることを特徴とする請求項１に記載のヘッドライト搭載の線形型アンテナ。
【請求項５】
前記横向き偏波アンテナ部は、前記横向き透明フィルムテープにより前記ヘッドライトの前記ランプカバーの外側、前記ランプカバーの内側又は前記ランプホルダーの内側に貼り付けられ、
前記縦向き偏波アンテナ部は、前記縦向き透明フィルムテープにより前記ヘッドライトの前記ランプカバーの外側、前記ランプカバーの内側又は前記ランプホルダーの内側に貼り付けられることを特徴とする請求項４に記載のヘッドライト搭載の線形型アンテナ。
【請求項６】
前記透明フィルムテープは、折り曲げ型透明フィルムテープを含み、
前記折り曲げ型透明フィルムテープは、前記横向き透明フィルムテープと前記縦向き透明フィルムテープとの間に接続され、
前記給電部は、前記折り曲げ型透明フィルムテープにより前記ヘッドライトの外隅に貼り付けられることを特徴とする請求項４に記載のヘッドライト搭載の線形型アンテナ。
【請求項７】
前記給電部は、前記折り曲げ型透明フィルムテープにより前記ヘッドライトの前記ランプカバーの外側、前記ランプカバーの内側又は前記ランプホルダーの内側に貼り付けられることを特徴とする請求項６に記載のヘッドライト搭載の線形型アンテナ。
【請求項８】
前記横向き透明フィルムテープ、前記折り曲げ型透明フィルムテープ及び前記縦向き透明フィルムテープは一体成形されることを特徴とする請求項６に記載のヘッドライト搭載の線形型アンテナ。
【考案の詳細な説明】
【技術分野】
【０００１】
本考案は、ヘッドライト搭載の線形型アンテナに関し、特に、組立てが容易で、予備組立工程に統合され、多種類の信号を受信し、受信する信号の品質が高い、ヘッドライト搭載の線形型アンテナに関する。
【背景技術】
【０００２】
従来、運転手のニーズを満たすために、自動車の車内には、デジタルテレビジョン（Ｄｉｇｉｔａｌ  Ｔｅｌｅｖｉｓｉｏｎ：ＤＴＶ）、グローバルポジショニングシステム（Ｇｌｏｂａｌ  Ｐｏｓｉｔｉｏｎ  Ｓｙｓｔｅｍ）、ラジオ、ＤＡＢ（Ｄｉｇｉｔａｌ  Ａｕｄｉｏ  Ｂｒｏａｄｃａｓｔｉｎｇ）、ＬＴＥ（Ｌｏｎｇ  Ｔｅｒｍ  Ｅｖｏｌｕｔｉｏｎ）などの電子機器が設置され、これらの電子機器はアンテナにより信号を伝送する必要がある。しかし、これらのアンテナは、偏波方向がそれぞれ異なるため、車両に取付ける位置がそれぞれ異なる。そのため、組立てが容易でなく、予備組立工程に統合させることは困難であった。例えば、自動車のルーフには、垂直偏波の受信に適したラジオのアンテナを取付けることが好ましく、自動車のテールには、水平偏波の受信に適したデジタルテレビジョンのアンテナを取り付けることが好ましい。また、これらのアンテナは、取付け方式がそれぞれ異なるため、取り付けが熟練技術者により行われなければ、良好な受信品質を得ることはできなかった。
【０００３】
そのため、組立てが容易で、予備組立工程に統合させることができ、多種類の信号を受信し、受信する信号の品質が高い、ヘッドライト搭載の線形型アンテナが求められていた。
【考案の概要】
【考案が解決しようとする課題】
【０００４】
本考案の目的は、組立てが容易で、予備組立工程に統合させることができ、多種類の信号を受信し、受信する信号の品質が高い、ヘッドライト搭載の線形型アンテナを提供することにある。
【課題を解決するための手段】
【０００５】
上記課題を解決するために、本考案の第１の形態によれば、横向き偏波アンテナ部、縦向き偏波アンテナ部及び給電部を備えたヘッドライト搭載の線形型アンテナであって、前記横向き偏波アンテナ部は、ヘッドライトの横向き外縁に沿って設置され、前記縦向き偏波アンテナ部は、前記ヘッドライトの縦向き外縁に沿って設置され、前記給電部は、前記横向き偏波アンテナ部と前記縦向き偏波アンテナ部との間に電気的に接続されるとともに、前記ヘッドライトの外隅に位置することを特徴とするヘッドライト搭載の線形型アンテナが提供される。
【０００６】
前記横向き偏波アンテナ部は、前記ヘッドライトの横向き外縁に沿って、前記ヘッドライトに接着、電解メッキ又はインサートモールドされ、前記縦向き偏波アンテナ部は、前記ヘッドライトの縦向き外縁に沿って、前記ヘッドライトに接着、電解メッキ又はインサートモールドされ、前記給電部は、前記ヘッドライトの外隅に位置することが好ましい。
【０００７】
前記横向き偏波アンテナ部は、前記ヘッドライトのランプカバーの外側、前記ランプカバーの内側又はランプホルダーの内側に接着、電解メッキ又はインサートモールドされ、前記縦向き偏波アンテナ部は、前記ヘッドライトの前記ランプカバーの外側、前記ランプカバーの内側又は前記ランプホルダーの内側に接着、電解メッキ又はインサートモールドされ、前記給電部は、前記ヘッドライトの前記ランプカバーの外側、前記ランプカバーの内側又は前記ランプホルダーの内側に位置することが好ましい。
【０００８】
横向き透明フィルムテープ及び縦向き透明フィルムテープを含む透明フィルムテープをさらに備え、前記横向き偏波アンテナ部は、前記横向き透明フィルムテープにより前記ヘッドライトの横向き外縁に沿って前記ヘッドライトに貼り付けられ、前記縦向き偏波アンテナ部は、前記縦向き透明フィルムテープにより前記ヘッドライトの縦向き外縁に沿って前記ヘッドライトに貼り付けられることが好ましい。
【０００９】
前記横向き偏波アンテナ部は、前記横向き透明フィルムテープにより前記ヘッドライトの前記ランプカバーの外側、前記ランプカバーの内側又は前記ランプホルダーの内側に貼り付けられ、前記縦向き偏波アンテナ部は、前記縦向き透明フィルムテープにより前記ヘッドライトの前記ランプカバーの外側、前記ランプカバーの内側又は前記ランプホルダーの内側に貼り付けられることが好ましい。
【００１０】
前記透明フィルムテープは、折り曲げ型透明フィルムテープを含み、前記折り曲げ型透明フィルムテープは、前記横向き透明フィルムテープと前記縦向き透明フィルムテープとの間に接続され、前記給電部は、前記折り曲げ型透明フィルムテープにより前記ヘッドライトの外隅に貼り付けられることが好ましい。
【００１１】
前記給電部は、前記折り曲げ型透明フィルムテープにより前記ヘッドライトの前記ランプカバーの外側、前記ランプカバーの内側又は前記ランプホルダーの内側に貼り付けられることが好ましい。
【００１２】
前記横向き透明フィルムテープ、前記折り曲げ型透明フィルムテープ及び前記縦向き透明フィルムテープは一体成形されることが好ましい。
【考案の効果】
【００１３】
本考案のヘッドライト搭載の線形型アンテナは、組立てが容易で、予備組立工程に統合させることができ、多種類の信号を受信し、受信する信号の品質を高めることができる。
【図面の簡単な説明】
【００１４】
【図１】図１は、本考案の一実施形態に係るヘッドライト搭載の線形型アンテナを示す分解斜視図である。
【図２】図２は、本考案の一実施形態に係るヘッドライト搭載の線形型アンテナを示す斜視図である。
【図３】図３は、本考案の一実施形態に係るヘッドライト搭載の線形型アンテナが含む透明フィルムテープを示す分解斜視図である。
【図４】図４は、本考案の一実施形態に係るヘッドライト搭載の線形型アンテナが含む透明フィルムテープを示す斜視図である。
【図５】図５は、本考案の一実施形態に係るヘッドライト搭載の線形型アンテナの横向き透明フィルムテープ、折り曲げ式の透明フィルムテープ及び縦向き透明フィルムテープを示す説明図である。
【図６】図６は、本考案の一実施形態に係るヘッドライト搭載の線形型アンテナの横向き透明フィルムテープ、折り曲げ式の透明フィルムテープ及び縦向き透明フィルムテープが一体成形された状態の説明図である。
【考案を実施するための形態】
【００１５】
以下、本考案の実施形態について図に基づいて説明する。なお、これによって本考案が限定されるものではない。
【００１６】
図１及び図２を参照する。図１及び図２に示すように、本考案の一実施形態に係るヘッドライト搭載の線形型アンテナ２は、少なくとも横向き偏波アンテナ部２１、縦向き偏波アンテナ部２２及び給電部２３から構成されてなる。横向き偏波アンテナ部２１は、銅又はＡｇペーストからなってもよい。横向き偏波アンテナ部２１は、ヘッドライト３の横向き外縁に沿って設置され、水平偏波を受信する。図１及び図２の横向き偏波アンテナ部２１は、直線構造であるが、受信する信号に応じてその他の構造に設計し、多種類の信号を受信できるようにしてもよい。また、横向き偏波アンテナ部２１は、水平に設置するだけでなく、ヘッドライト３の横向き外縁の傾斜角度に応じて水平からずれた角度で設置してもよい。縦向き偏波アンテナ部２２は、銅又はＡｇペーストからなってもよい。縦向き偏波アンテナ部２２は、ヘッドライト３の縦向き外縁に沿って設置され、垂直偏波を受信する。図１及び図２の縦向き偏波アンテナ部２２は、直線構造であるが、受信する信号に応じてその他の構造に設計し、多種類の信号を受信することができるようにしてもよい。縦向き偏波アンテナ部２２は、垂直に設置するだけでなく、ヘッドライト３の縦向き外縁の傾斜角度に応じて垂直からずれた角度で設置してもよい。給電部２３は、横向き偏波アンテナ部２１と縦向き偏波アンテナ部２２との間に電気的に接続され、ヘッドライト３の外隅に位置する。給電部２３を扁平状の導電接続点に設計し、これにより横向き偏波アンテナ部２１と縦向き偏波アンテナ部２２とにより形成される角度を、ヘッドライト３の外隅に応じて任意に調整してもよい。
【００１７】
上述したように、本考案のヘッドライト搭載の線形型アンテナは、ヘッドライトが垂直偏波及び水平偏波を同時に受信することができるため、多種類の信号を受信することができる。線形型アンテナは、異なる信号に応じて各種対応した構造に設計することができるため、本考案のヘッドライト搭載の線形型アンテナが受信する信号は品質が高い。本考案のヘッドライト搭載の線形型アンテナは、様々な方式により組立てることができるため、組立てが容易で、予備組立工程（例えば、ヘッドライトの製造工程と組み合わせる）に容易に統合させることができる。
【００１８】
図１及び図２を参照する。図１及び図２に示すように、本考案の一実施形態に係るヘッドライト搭載の線形型アンテナ２の横向き偏波アンテナ部２１は、ヘッドライト３の横向き外縁に沿ってヘッドライト３に接着、電解メッキ又はインサートモールド（ｉｎｓｅｒｔ−ｍｏｌｄｅｄ）されてもよい。縦向き偏波アンテナ部２２は、ヘッドライト３の縦向き外縁に沿ってヘッドライト３に接着、電解メッキ又はインサートモールドされてもよい。給電部２３は、ヘッドライト３の外隅に位置する。この構成により、本考案のヘッドライト搭載の線形型アンテナ２は、ヘッドライト３に直接成形され、予備組立工程に容易に統合させることができる（例えば、ヘッドライト３の製造工程に統合させることができる）。
【００１９】
再び、図１及び図２を参照する。図１及び図２に示すように、本考案のヘッドライト搭載の線形型アンテナ線形型アンテナ２の横向き偏波アンテナ部２１は、ヘッドライト３のランプカバー３１の外側、ランプカバー３１の内側又はランプホルダー３２の内側に接着、電解メッキ又はインサートモールドされてもよい。縦向き偏波アンテナ部２２は、ヘッドライト３のランプカバー３１の外側、ランプカバー３１の内側又はランプホルダー３２の内側に、接着、電解メッキ又はインサートモールドされてもよい。給電部２３は、ヘッドライト３のランプカバー３１の外側、ランプカバー３１の内側又はランプホルダー３２の内側に位置する。そのため、本考案のヘッドライト搭載の線形型アンテナ２は、実際の必要に応じてヘッドライト３の様々な位置に設置することができる。
【００２０】
図３及び図４を参照する。図３及び図４に示すように、上述のヘッドライト搭載の線形型アンテナ２は、横向き透明フィルムテープ１１及び縦向き透明フィルムテープ１２を含む透明フィルムテープ１をさらに備えてもよい。横向き偏波アンテナ部２１は、透明フィルムテープ１１によりヘッドライト３の横向き外縁に沿ってヘッドライト３に貼り付けられる。縦向き偏波アンテナ部２２は、縦向き透明フィルムテープ１２によりヘッドライト３の縦向き外縁に沿ってヘッドライト３に貼り付けられる。また、横向き透明フィルムテープ１１は、横向き偏波アンテナ部２１を水平に接着させるだけでなく、ヘッドライト３の横向き外縁の傾斜角度に対応し、横向き偏波アンテナ部２１を水平からずれた角度で貼り付けることもできる。同様に、縦向き透明フィルムテープ１２は、縦向き偏波アンテナ部２２を垂直に貼り付けることができるだけでなく、ヘッドライト３の縦向き外縁の傾斜角度に対応し、縦向き偏波アンテナ部２２を垂直からずれた角度で貼り付けることもできる。このように、本考案のヘッドライト搭載の線形型アンテナ２は、ヘッドライト３に直接成形し、予備組立工程に容易に統合させることができる（例えば、ヘッドライト３の製造工程に統合させることができる）。
【００２１】
再び図３及び図４を参照する。図３及び図４に示すように、上述のヘッドライト搭載の線形型アンテナ２の横向き偏波アンテナ部２１は、横向き透明フィルムテープ１１により、ヘッドライト３の横向き外縁に沿ってヘッドライト３のランプカバー３１の外側、ランプカバー３１の内側又はランプホルダー３２の内側に貼り付けられるとともに、縦向き偏波アンテナ部２２は、縦向き透明フィルムテープ１２により、ヘッドライト３の縦向き外縁に沿ってヘッドライト３のランプカバー３１の外側、ランプカバー３１の内側又はランプホルダー３２の内側に貼り付けられる。このように、本考案のヘッドライト搭載の線形型アンテナ２は、実際の必要に応じてヘッドライト３の様々な位置に貼り付けられる。
【００２２】
図５を参照する。図５に示すように、上述のヘッドライト搭載の線形型アンテナ２中の透明フィルムテープ１は、折り曲げ型透明フィルムテープ１３を含む。折り曲げ型透明フィルムテープ１３は、横向き透明フィルムテープ１１と縦向き透明フィルムテープ１２との間に接続され、ヘッドライト３の外隅に給電部２３が貼り付けられる。このように、本考案のヘッドライト搭載の線形型アンテナ２は、ヘッドライト３に完全に固定され、折り曲げ型透明フィルムテープ１３により給電部２３が保護される。また、折り曲げ型透明フィルムテープ１３は、ヘッドライト３の外隅に対応して様々な折り曲げ角度で形成することができる。
【００２３】
上述の横向き透明フィルムテープ１１及び縦向き透明フィルムテープ１２のように、上述のヘッドライト搭載の線形型アンテナ２の給電部２３は、折り曲げ型透明フィルムテープ１３により、ヘッドライト３のランプカバー３１の外側、ランプカバー３１の内側又はランプホルダー３２の内側に貼り付けられてもよい。このように、本考案のヘッドライト搭載の線形型アンテナ２は、実際の必要に応じてヘッドライト３の様々な位置に貼り付けることができる。
【００２４】
図６を参照する。図６に示すように、上述のヘッドライト搭載の線形型アンテナ２は、横向き透明フィルムテープ１１、折り曲げ型透明フィルムテープ１３及び縦向き透明フィルムテープ１２が一体成形されて簡素な構造に形成される。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１  透明フィルムテープ
２  線形型アンテナ
３  ヘッドライト
１１  横向き透明フィルムテープ
１２  縦向き透明フィルムテープ
１３  折り曲げ型透明フィルムテープ
２１  横向き偏波アンテナ部
２２  縦向き偏波アンテナ部
２３  給電部
３１  ランプカバー
３２  ランプホルダー
【図１】
0003198460.tif 000003
【図２】
0003198460.tif 000004
【図３】
0003198460.tif 000005
【図４】
0003198460.tif 000006
【図５】
0003198460.tif 000007
【図６】
0003198460.tif 000008